(57)【要約】【課題】  本発明は構造が簡単で、設置が容易にできるとともに、樋の設置に大きなスペースを設けなくてもよく、地震での揺れ動きを大きく吸収することができる安価な目地部用庇装置を得るにある。【解決手段】  目地部を介して建てられた左右の建物あるいは一方が建物で他方が道路や地面等の躯体の目地部側の一方の建物あるいは躯体の外壁面に設けた樋と、この樋が設けられた位置より高い、前記目地部側の他方の建物の外壁面に枢支部を介して回動できるように取付けられた庇と、この庇を常時は先端部から前記樋内へ雨水を導けるように位置させ、地震で前記目地部が狭くなると、前記一方の建物の目地部側外壁面による押し圧で回転させる庇取付具とで目地部用庇装置を構成している。【選択図】  図２
2015086636.tif 000002
【特許請求の範囲】
【請求項１】
目地部を介して建てられた左右の建物あるいは一方が建物で他方が道路や地面等の躯体の目地部側の一方の建物あるいは躯体の外壁面に設けた樋と、この樋が設けられた位置より高い、前記目地部側の他方の建物の外壁面に枢支部を介して回動できるように取付けられた庇と、この庇を常時は先端部から前記樋内へ雨水を導けるように位置させ、地震で前記目地部が狭くなると、前記一方の建物の目地部側外壁面による押し圧で回転させる庇取付具とからなることを特徴とする目地部用庇装置。
【請求項２】
目地部側の他方の建物の外壁面の庇の後端部より上方の外壁面に、該庇上へ雨水を導く水切り用突片が設けられていることを特徴とする請求項１記載の目地部用庇装置。
【請求項３】
庇の先端部には一方の建物あるいは躯体の目地部側の外壁面に当接しても雨水が下部へ排水できる複数個の凹部が形成されているとともに、該庇の先端部が常時枢支部より下部に位置させることができる庇取付具が用いられていることを特徴とする請求項１、２いずれかに記載の目地部用庇装置。
【発明の詳細な説明】
【技術分野】
【０００１】
本発明は目地部を介して建てられた左右の建物あるいは一方が建物で他方が道路や地面等の躯体間の目地部を覆うように設置される目地部用庇装置に関する。
【背景技術】
【０００２】
従来の目地部用庇装置は、目地部を介して建てられた左右の建物の一方の建物の目地部側の外壁面に取付けられた、先端部が他方の建物の目地部側の外壁面に形成された外側通路のよう壁の上部に位置する庇本体と、この庇本体の先端下部に回動機構を介して、平常時には前記よう壁の内壁面を覆うように位置して、内部に雨水の浸入を阻止する回動可能な水切り板と、この水切り板を平常時には前記よう壁に係止し、地震等によって左右の建物が揺れ動いた場合には係止状態が解除される水切り板係止具とで構成されている。
【０００３】
しかしながら、このように構成された目地部用庇装置は構造が複雑で、設置に手数がかかり、かつ他方の建物に形成する樋が大きくなり、コスト高になるという欠点があった。
【先行技術文献】
【特許文献】
【０００４】
【特許文献１】特開２０００−２２０２２４号公報
【発明の概要】
【発明が解決しようとする課題】
【０００５】
本発明は以上のような従来の欠点に鑑み、構造が簡単で、設置が容易にできるとともに、樋の設置に大きなスペースを設けなくてもよく、地震での揺れ動きを大きく吸収することができる安価な目地部用庇装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して建てられた左右の建物あるいは一方が建物で他方が道路や地面等の躯体の目地部側の一方の建物あるいは躯体の外壁面に設けた樋と、この樋が設けられた位置より高い、前記目地部側の他方の建物の外壁面に枢支部を介して回動できるように取付けられた庇と、この庇を常時は先端部から前記樋内へ雨水を導けるように位置させ、地震で前記目地部が狭くなると、前記一方の建物の目地部側外壁面による押し圧で回転させる庇取付具とで目地部用庇装置を構成している。
【発明の効果】
【０００８】
以上の説明から明らかなように、本発明にあっては次に列挙する効果が得られる。
（１）請求項１により、庇を庇取付具で一方の建物の目地部側外壁面による押し圧で回転できるように取付けられているので、地震で左右の建物間の目地部が狭くなるように揺れ動いても、損傷を確実に防止することができる。    
（２）前記（１）により、庇を庇取付具で取付けるだけでよいので、構造が簡単で、楽に設置することができる。」
（３）前記（１）により、庇を庇取付具で回動できるように取付けているので、庇からの雨水を受ける樋を小さく設定してもよく、左右の建物間の目地部を必要以上に小さくして、左右の建物の揺れ動き量を制限したりするのを防止できる。
（４）前記（１）により、構造が簡単で、樋も小さく設定できるので、安価に設置することができる。
（５）請求項２も前記（１）〜（４）と同様な効果が得られるとともに、雨水を水切り用突片によって確実に庇上へ落下させることができる。
（６）請求項３も前記（１）〜（４）と同様な効果が得られるとともに、地震での大きな異なる左右方向の揺れ動きでも、目地部を庇で覆うことができ、目地部への雨水の落下を効率よく防止することができる。
【図面の簡単な説明】
【０００９】
【図１】本発明を実施するための第１の形態の平面図。
【図２】図１の２−２線に沿う拡大断面図。
【図３】本発明を実施するための第１の形態の庇の説明図。
【図４】本発明を実施するための第１の形態の庇取付具の説明図。
【図５】本発明を実施するための第１の形態の地震で目地部が狭くなるように揺れ動いた動作説明図。
【図６】本発明を実施するための第１の形態の地震で目地部が広くなるように揺れ動いた動作説明図。
【図７】本発明を実施するための第２の形態の平面図。
【図８】図７の８−８線に沿う拡大断面図。
【図９】本発明を実施するための第２の形態の庇の説明図。
【図１０】本発明を実施するための第２の形態の地震で目地部が広くなるように揺れ動いた動作説明図。
【図１１】本発明を実施するための第３の形態の平面図。
【図１２】図１１の１２−１２線に沿う拡大断面図。
【図１３】本発明を実施するための第３の形態の庇の説明図。
【発明を実施するための形態】
【００１０】
以下、図面に示す本発明を実施するための形態により、本発明を詳細に説明する。
【００１１】
図１ないし図６に示す本発明を実施するための第１の形態において、１は目地部２を介して建てられた免震等の左右の建物３、３あるいは一方が建物３で、他方が道路や地面間の目地部２に設置される本発明の目地部用庇装置で、この目地部用庇装置１は前記左右の建物３、３あるいは一方が建物３で、他方が道路や地面の躯体の目地部２側の一方の建物３あるいは躯体の外壁面３ａに設けられた樋４と、この樋４が設けられた位置より高い、前記目地部側の他方の建物３の外壁面３ａに枢支部５を介して回動できるように取付けられた庇６と、この庇６を常時は先端部６ａから前記樋４内へ雨水を導けるように位置させ、地震で前記目地部２が狭くなると前記一方の建物３の目地部側外壁面３ａによる押し圧で回転させる庇取付具７と、前記庇６の後端部６ｂより上方の前記他方の建物３の外壁面３ａに取付けられた上部の、該外壁面３ａより伝わって落ちてくる雨水を、該庇６上へ導く水切り用突片８とで構成されている。
【００１２】
前記庇６は図３に示すように、前記目地部２をほぼ４５度に傾斜された状態で覆うことができる庇本体９と、この庇本体９の前記他方の建物３側の底面に所定間隔で固定された枢支ピン挿入孔１０が形成された複数個の取付片１１とで構成されている。
【００１３】
前記庇取付具７は図４に示すように、前記庇６の複数個の取付片１１がそれぞれ先端部に挿入されるように、前記他方の建物３の目地部側の外壁面３ａに固定された先端部に枢支ピン挿入孔１２が形成されたコ字状の複数個の支持具１３と、この複数個の支持具１３の先端部に挿入された取付片１１を回動可能に枢支する枢支部５となる枢支ピン挿入孔１０、１２にそれぞれ挿入された枢支ピン１４と、一端部が前記庇本体９の後端部寄りの部位に取付けられ、他端部が前記他方の建物３の目地部側外壁面３ａに取付けられた、該庇本体９の後端部を前記他方の建物３の目地部側の外壁面３ａに当接するように付勢する付勢スプリング１５とで構成されている。
【００１４】
上記構成の目地部用庇装置１は、左右の建物３、３間の目地部２は図１および図２に示すように水切り用突片８、庇６および樋４で覆われ、太陽熱や雨水が庇６の下部の目地部２へ照射したり、落下するのを防止している。
【００１５】
地震で目地部２が狭くなるように左右の建物３、３が揺れ動くと、図５に示すように庇本体９の先端部９ａが庇取付具７の付勢スプリング１５の付勢力に抗して回動させ、その揺れ動きを吸収する。
【００１６】
この時、一方の建物３の目地部側外壁面３ａと他方の建物３の目地部側外壁面３ａとの間の目地部２は庇６によって覆われている。
【００１７】
地震で目地部２が広くなるように左右の建物３、３が揺れ動くと、図６に示すように庇本体９の先端部９ａより、一方の建物３の外壁面３ａが離れるように移動し、庇本体９の先端部９ａが樋４内に位置している状態までは庇６と、樋４で目地部２が覆われた状態で、庇本体９の先端部９ａが樋４より離れた状態では目地部２に隙間が生じるが、この状態は大きな地震で、短時間でしか生じないので問題にしなくてもよい。    
【００１８】
[発明を実施するための異なる形態]
次に、図７ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１９】
図７ないし図１０に示す本発明を実施するための第２の形態において、前記本発明を実施するための第１の形態と主に異なる点は、庇本体９の上部９ｃに雨水を樋４へ落下させることができるように波形の複数個の凹部１６を形成するとともに、付勢スプリング１５で、常時庇本体９の先端部９ａを一方の建物３の目地部側外壁面３ａに当接する庇取付具７Ａを用いた点で、このように構成した目地部用庇装置１Ａにしても、前記本発明を実施するための第１の形態と同様な作用効果が得られるとともに、庇本体９の後端部９ｂが他方の建物３の目地部側外壁面３ａに当接するまで庇６を回動できるので、目地部２が広くなるような地震の揺れ動きでも庇６によって、該目地部２を覆う範囲を大きくできる。
【００２０】
なお、本発明の実施の形態ではカバー状の水切り用突片８Ａを用いるとよい。
【００２１】
図１１ないし図１３に示す本発明を実施するための第３の形態において、前記本発明を実施するための第２の形態と主に異なる点は、庇本体９の先端部に波形状の複数個の凹部１６Ａを形成するとともに、庇本体９の後端部９ｂの下部位置の他方の建物３の目地部側外壁面３ａに小さな樋１７を設けるとともに、前記第１の実施の形態と同様な水切り用突片８を設けた点で、このように構成した目地部用庇装置１Ｂにしても、前記本発明を実施するための第２の形態と同様な作用効果が得られる。
【産業上の利用可能性】
【００２２】
本発明は目地部を介して建てられた左右の建物あるいは一方が建物で他方が道路や地面等の躯体間の目地部を覆う目地部用庇装置を製造する産業で利用される。
【符号の説明】
【００２３】
１、１Ａ、１Ｂ：目地部用庇装置、
２：目地部、        ３：建物、
４：樋、          ５：枢支部、  
６：庇、        ７、７Ａ：庇取付具、
８：水切り用突片、      ９：庇本体、
１０：枢支ピン挿入孔、    １１：取付片、
１２：枢支ピン挿入孔、    １３：支持具、
１４：枢支ピン、      １５：付勢スプリング、
１６、１６Ａ：凹部、    １７：小さな樋。
【図１】
2015086636.tif 000003
【図２】
2015086636.tif 000004
【図３】
2015086636.tif 000005
【図４】
2015086636.tif 000006
【図５】
2015086636.tif 000007
【図６】
2015086636.tif 000008
【図７】
2015086636.tif 000009
【図８】
2015086636.tif 000010
【図９】
2015086636.tif 000011
【図１０】
2015086636.tif 000012
【図１１】
2015086636.tif 000013
【図１２】
2015086636.tif 000014
【図１３】
2015086636.tif 000015